(57)【要約】【課題】端末装置の画面の収容数を削減し、利用者が任意に同一相手先の複数の電話番号を選択でき、相手先の状況に応じた電話番号で発信できるようにする。【解決手段】通信用端末装置は、該オートダイヤルキーの操作によって選択された電話番号を表示する表示部と、予め決められた複数のモードを選択することができるモード選択釦と、該オートダイヤルキーのキー種別、該モード選択釦のモード識別、及び１つの該オートダイヤルキーに対して設定された複数の電話番号を記憶する記憶手段と、発信時に該モード選択釦の操作に応じて、該記憶手段に記憶された該複数の電話番号のうち１の電話番号を選択して該表示部に表示するように制御する制御手段を有する。【選択図】図３
2012015625.tif 000002
【特許請求の範囲】
【請求項１】
オートダイヤルキーの操作により回線を通して特定の相手と通話することができる端末装置であって、
該オートダイヤルキーの操作によって選択された電話番号を表示する表示部と、
予め決められた複数のモードを選択することができるモード選択釦と、
該オートダイヤルキーのキー種別、該モード選択釦のモード識別、及び１つの該オートダイヤルキーに対して設定された複数の電話番号を記憶する記憶手段と、
発信時に該モード選択釦の操作に応じて、該記憶手段に記憶された該複数の電話番号のうち１の電話番号を選択して該表示部に表示するように制御する制御手段と、
を有することを特徴とする端末装置。
【請求項２】
前記制御手段は、相手からの着信時に、該記憶手段に記憶された電話番号を読み出して、オートダイヤルキーについて該電話番号の着信を該表示部に表示し、かつ前記モード選択釦を、該電話番号に対応するモード（キー別モードという）に変更して、該記憶手段に記憶するように制御することを特徴とする請求項１記載の端末装置。
【請求項３】
前記制御手段は、計時動作するタイマーを有し、
該タイマーの計時値が所定の時間内に、先に着信のあった当該電話番号に発信する場合には、該オートダイヤルキーのモードを前記キー別モードの設定とし、
該タイマーの計時値が所定の時間外に、先に着信のあった当該電話番号に発信する場合には、該オートダイヤルキーのモードを、予め決められた複数のモードを選択するモード選択釦とするように制御することを特徴とする請求項２記載の端末装置。
【発明の詳細な説明】
【技術分野】
【０００１】
本発明は、端末装置に係り、特に電話交換システムにおいて同じ相手先に複数の電話番号を備える通信端末装置に関する。
【背景技術】
【０００２】
電話交換システムの運用において、同一相手先で、例えば、取引先が夜間になった場合に昼間と違う電話番号で対応する場合がある。同一相手先に複数の電話番号を設定する通信端末装置として、例えば特許文献１には、ワンタッチダイヤルに対応して登録した相手先の電話番号と通信が開始されない場合、対応する代替番号設定メモリに設定されているコード番号に基づいて該当するボタンに設定されている電話番号を読み出して該当する相手通信端末にダイヤル信号を送信する通信端末装置が開示されている。この端末装置によれば、利用者が運用に合わせて任意に発信番号を選択することができないために、最初の電話番号で一旦通信してしまうという手間がかかる。
【先行技術文献】
【特許文献】
【０００３】
【特許文献１】特開平０８−１５４１２２公報
【発明の概要】
【発明が解決しようとする課題】
【０００４】
例えば、同一相手先に対して、夜間には昼間と違う電話番号で対応する場合、同一相手先に対して２つのオートダイヤルを収容することになり、端末装置の画面に収容する数が多くなるという課題がある。
【０００５】
本発明の目的は、端末装置の画面の収容数を削減し、利用者が任意に同一相手先の複数の電話番号を選択でき、相手先の状況に応じた電話番号で発信できるようにした端末装置を提供することにある。
【課題を解決するための手段】
【０００６】
本発明に係る端末装置は、好ましくは、オートダイヤルキーの操作により回線を通して特定の相手と通話することができる端末装置であって、該オートダイヤルキーの操作によって選択された電話番号を表示する表示部と、予め決められた複数のモードを選択することができるモード選択釦と、該オートダイヤルキーのキー種別、該モード選択釦のモード識別、及び１つの該オートダイヤルキーに対して設定された複数の電話番号を記憶する記憶手段と、発信時に該モード選択釦の操作に応じて、該記憶手段に記憶された該複数の電話番号のうち１の電話番号を選択して該表示部に表示するように制御する制御手段と、を有することを特徴とする端末装置として構成される。
【０００７】
好ましい例では、当該端末装置において、前記制御手段は、相手からの着信時に、該記憶手段に記憶された電話番号を読み出して、オートダイヤルキーについて該電話番号の着信を該表示部に表示し、かつ前記モード選択釦を、該電話番号に対応するモード（キー別モードという）に変更して、該記憶手段に記憶するように制御する。
【０００８】
また、好ましい例では、当該端末装置において、前記制御手段は、計時動作するタイマーを有し、
該タイマーの計時値が所定の時間内に、先に着信のあった当該電話番号に発信する場合には、該オートダイヤルキーのモードを該キー別モードの設定とし、
該タイマーの計時値が所定の時間外に、先に着信のあった当該電話番号に発信する場合には、該オートダイヤルキーのモードを、予め決められた複数のモードを選択するモード選択釦とするように制御する。
【発明の効果】
【０００９】
本発明によれば、モード選択釦によって１つのオートダイヤルキーに複数のダイヤルを収容することができるので、端末装置の画面の収容数を削減することができる。また、モード切り替えにより運用に合わせた発信ができるため、利用者の利便性を高めることができる。また、画面収容している相手先からの着信により、着信があった相手先のオートダイヤルキーの選択モードに自動的に切り替わるため、相手先の状況に応じた発信の利便性を高めることができる。
【図面の簡単な説明】
【００１０】
【図１】電話交換システムの概略構成図である。
【図２】本発明の一実施例による端末装置の盤面を示す図である。
【図３】本発明の一実施例による端末装置の機能ブロック図である。
【図４】従来の端末装置のオートダイヤルキーの盤面例を示す図である。
【図５】本発明の一実施例による端末装置のモード選択釦の収容例を示す図である。
【図６】一実施例における画面ディスプレイに表示されるキーのデータ構成を示す図である。
【図７】一実施例における端末装置のキー制御のプログラムの実行フローチャートである。
【図８】一実施例における端末装置のモードキー制御プログラムの実行フローチャートである。
【図９】一実施例における端末装置の着信制御プログラムの実行フローチャートである。
【図１０】一実施例における端末装置の発信制御プログラムの実行フローチャートである。
【発明を実施するための形態】
【００１１】
以下、図面を参照して、本発明の実施例について詳細に説明する。
図１は、電話交換システムの概略構成を示す。電話交換システムは、電話交換装置１１と、その電話交換装置１１に接続される複数の通話用の端末装置２と、ターミナルアダプタ（ＴＡ）１６及びそれに通信ケーブル１７を介して接続されるデータ管理装置１５を有して構成される。電話交換装置１１において、通話路スイッチ（ＳＷ）１１０は端末装置２を収容し、それを接続制御するための専用内線回路（ＤＬＩＮ）１１４を有する。端末装置２と専用内線回路１１４は、音声信号、及び呼制御信号を送受信する接続ケーブル１４により接続されている。通話路スイッチ１１０はまた、局線回線、ホットライン、支店回線等を収容し、それらを接続制御するためのトランク（ＴＲＫ）１１５を有する。
【００１２】
データ管理装置１５は、端末装置２の画面ページのオートダイヤル等のキーデータあるいは回線名称データを投入、及び修正するための、例えばパーソナルコンピュータのような処理装置であり、汎用インタフェースを用いた通信ケーブル１７を介してターミナルアダプタ（ＴＡ）１６に接続され、さらに接続ケーブル１９を介してＩインタフェース内線回路（ＩＬＩＮ）１１６に接続されている。
通話路スイッチ１１０には、制御系バス１１３を介して中央制御装置（ＣＣ）１１１及び記憶装置（ＭＭ）１１２が接続される。中央制御装置（ＣＣ）１１１は、電話交換システム全体を制御し、記憶装置（ＭＭ）１１２は、中央制御装置１１１が電話交換システムを制御するためのプログラム、局データ、及び各種テーブルを記憶する。
【００１３】
図２は、本実施例による端末装置２の盤面を示す。
端末装置２は、通話用ハンドセット２１、ダイヤルキー群２２、相手先名称や個人名などの回線名称やオートダイヤルキー名称を表示する画面ディスプレイ２４を備えている。
画面ディスプレイ２４は、例えばタッチパネル式の入力機能を備えた液晶表示器で構成され、オートダイヤル機能を実現する。画面ディスプレイ２４にはＫ１〜Ｋ２０の２０個の表示項目が設定され、各表示項目には相手先名（相手先名や電話番号）を表示することができる。表示の内容はキャラクタやグラフィック等の任意の表示が可能である。利用者が相手先の表示項目を指で接触すると、当該電話番号へ発信することができる。また着信時には該当する項目の表示色が変わり、当該相手から着信があったことを認識できる。
【００１４】
ページ切り替えによる回線表示方式の画面ディスプレイ２４は、自己の端末装置に収容する回線を登録するページがあり、回線は数回線ずつページ分割され、ページ送り又はページ戻しの操作により順次回線名称の表示を変更することができる。「前ページ」キー２６は画面ディスプレイ２４のページ戻しする釦であり、「後ページ」キー２７は画面ディスプレイ２４のページ送りをする釦である。
【００１５】
図３は、端末装置２のハードウェア構成を示す。
端末装置２が有する制御バス３２には、以下の各ユニットが接続される。呼制御プロセッサ（ＭＰＵ）３１は、端末装置全体を制御する。呼制御プロセッサ３１には制御バス３２を介して、回線名称等のデータを含む局データを格納する一時記憶装置（ＲＡＭ）３３、呼制御等のプログラムや固定データを記憶する固定記憶装置（ＲＯＭ）３４、ダイヤルキー群２２と前ページ２６と後ページ２７の個々のキーを走査してその開閉を検出するキースキャンインタフェース３７、画面コントローラ３１４などが接続される。
【００１６】
画面コントローラ３１４には、画面ディスプレイ２４の画面に表示すべきグラフィック或いはキャラクタ文字（キー枠、回線名称等）から成る画面データを記憶する画面メモリ３１５に接続され、この画面コントローラ３１４の制御により、画面メモリ３１５から画面データを読み出して、画面ディスプレイ２４に表示する。なお、画面メモリ３１５の内容は、呼制御プロセッサ３１の制御に従い、画面コントローラ３１４経由で書き込まれる。
【００１７】
制御バス３２と電話交換装置１１との間には、呼制御メッセージの送受信を行うための呼制御メッセージ送受信バッファ３１１が接続され、全て呼制御プログラムにより制御される。呼制御メッセージ送受信バッファ３１１には、ＩＳＤＮ基本インタフェースの信号用チャネル（Ｄチャネル）３１７を介して、電話交換装置１１に収容される回線の状態を示す呼制御メッセージを受信する受信バッファ３８と、電話交換装置１１に対して端末装置の操作内容などを示す呼制御メッセージを送信する送信バッファ３９が接続されている。また、通話用ハンドセット２１は、ＩＳＤＮ基本インタフェースの音声、またはデータ用のチャネル（Ｂチャネル）３１３に接続され、さらに電話交換装置の専用内線回路１３を介して通話路スイッチ１１０に接続されている。
【００１８】
図４は、従来のオートダイヤルキーの盤面例を示す。
「Ｋ１」ＡＡ、「Ｋ２」ＡＡ、「Ｋ３」ＡＡは、同一相手先で同じ名称が付されている。例えば、同一相手先で、「Ｋ１」ＡＡは代表電話番号、「Ｋ２」ＡＡは直通電話番号、「Ｋ３」ＡＡは携帯電話番号の如きである。しかしながら、昼間と夜間、外出先ではダイヤルが違うために別のオートダイヤルとして収容することになる。「Ｋ６・Ｋ７・Ｋ８」のＢＢあるいは、「Ｋ１１・Ｋ１２・Ｋ１３」のＣＣといったように、同一相手先でありながらダイヤルが違うために、その分のオートダイヤルを収容することになる。そのため、端末装置の記憶装置に対する画面の収容数が増えてしまう。
【００１９】
図５に、本発明の一実施例によるオートダイヤルキーの収容例を示す。即ちモード選択釦と複数のダイヤルを設定したオートダイヤルキーの収容例を示す。
端末装置２の画面ディスプレイ２４には、３つのモード選択釦「Ｘモード」「Ｙモード」「Ｚモード」と、同一相手先に複数（この例では３つ）のダイヤルを設定することができる複数（図示の例ではＫ１〜Ｋ１７）オートダイヤルキーの配列が表示されている。モード選択釦の「Ｘモード」は昼間に使用される電話番号を選択するモードキー、「Ｙモード」は夜間に使用される電話番号を選択するモードキー、「Ｚモード」は携帯電話番号を選択するモードキーである。
【００２０】
オートダイヤルキーに関して、「Ｘモード」に対応する画面には、Ｋ１〜Ｋ１７の１７個の相手先の昼間の電話番号を表示でき、「Ｙモード」に対応する画面には、夜間に使用される１７個の電話番号を表示でき、「Ｚモード」に対応する画面には１７個の携帯電話番号を表示できる。即ち、同一相手先について、Ｘ、Ｙ、Ｚの３種のモードに対応する３つの電話番号を１つのオートダイヤルキーで収容することができる。
【００２１】
また、モード選択釦は、画面ディスプレイ２４のページ内であれば、任意の位置に複数のキーを収容することが可能である。これにより、現在運用にて表示中のページから別のオートダイヤルページに切替えてもモード選択釦を収容しているため、どこのページでも任意にモード切り替えすることができる。モード選択釦には任意に名称の登録が可能である。オートダイヤルキー及びモード選択キーの表示名称の登録や変更は、管理者がデータ管理装置１５に必要な情報を入力することで行われ、それらの情報はデータ管理装置１５からダウンロードされて端末装置２の記憶装置３３に記憶され、反映される。
【００２２】
図６は、画面ディスプレイに表示されるキーのデータ構成を示す。
このキーデータは、端末装置２内の一時記憶装置（ＲＡＭ）３３に記憶される。このキーデータは、オートダイヤルコード、モード選択釦のような機能キー等のＦＮＣ（ファンクション）コード等を示すキー識別データ６１、キー名称を示すキー名称６２、各キーのモード（Ｘ、Ｙ、Ｚ何れかのモード）を識別するモード識別データ６３、Ｘモード用番号（例えば昼間用電話番号）を登録する「ダイヤル部１」６４と、Ｙモード用番号（夜間用電話番号）を登録する「ダイヤル部２」６５、Ｚモード用番号（例えば携帯番号）を登録する「ダイヤル３」６６の各データから構成される。図５に照らして言えば、図６の構成に従って定義されたキーデータがＫ１〜Ｋ２０の２０個規定されることになる。
【００２３】
キー識別データに、オートダイヤルコードが登録されている場合はオートダイヤルキーとして認識し、ＦＮＣコードが登録されている場合は機能キーとして認識する。キー表示名称は、画面ディスプレイ部のキーに表示する名称で、任意に登録することができる。モード識別データ６３は、モード選択釦を押下することで更新される全体モード識別値６７、着信があることで更新されるキー別モード識別値６８、キー別モード識別値の有効期限を示すタイマー値６９で構成されており、発信制御や画面ディスプレイへの表示制御に使用される。モード識別、ダイヤル部１およびダイヤル部２、３は、キー識別データがオートダイヤルコード時のみ有効であり、ＦＮＣコード時は使用不可となっている。
【００２４】
第７図は、キー制御プログラムの実行フローである。
キー制御プログラムは端末装置２のＲＯＭ３４に記憶されているオンラインプログラムであり、その実行により、キー監視を行いキー入力が行われたか否かを判断する（Ｓ７０２）。判断の結果、キー入力が無い場合はそのまま処理を終了し、キー入力が有る場合はキー押しされた画面のページＮｏ．とキーＮｏ．をワークエリアに確保し、キーデータ６を抽出する（Ｓ７０３）。そして、抽出したキーデータのキー識別データにより入力されたキーがオートダイヤル、あるいはモード選択キーを意味するＦＮＣコードか判断する（Ｓ７０４）。その判断の結果、オートダイヤルコードであれば、発信制御プログラム起動要求を行う（Ｓ７０５）。また、ＦＮＣコードであればモードキー制御プログラム起動要求を行う（Ｓ７０６）。
【００２５】
第８図は、モードキー制御プログラムの実行フローである。
モードキー制御プログラムは端末装置２のＲＯＭ３４に記憶されているオンラインプログラムであり、モードキー制御プログラム起動要求（Ｓ７０６）により起動される（Ｓ８０１）。そして、ページＮｏ．とキーＮｏ．よりキーデータ６を確保し（Ｓ８０２）、キー識別データ６１よりＦＮＣコードを抽出する（Ｓ８０３）。更に、端末装置２のＲＡＭ３３に記憶されている現在運用中のモードステータスをＦＮＣコードのモードへ更新し（Ｓ８０４）、モード選択キーのランプを制御する（Ｓ８０５）。そのランプ状態により、利用者が現在のモードを容易に判断できる。
【００２６】
ステップＳ８０６以降の処理は、各キーデータ６のモード識別データの更新処理である。まず、先頭キーのキーデータを確保し（Ｓ８０６）、キー識別データがオートダイヤルコードかＦＮＣコードかを判断する（Ｓ８０７）。判断の結果、オートダイヤルコードであれば、モード識別データのキー別モード識別値６８に値があるかを判断し（Ｓ８０８）、値が無ければステップＳ８１０に移る。一方、判断の結果、値があればキー別モード識別値６８とタイマー値６９のデータを消去する（Ｓ８０９）。そして、全体モード識別値６７を運用中モードステータスのデータに更新する（Ｓ８１０）。そして、次のキーデータが有るか判断して、ステップＳ８０６からＳ８０１２の処理を繰り返して、全てのオートダイヤルキーデータを更新する。
【００２７】
第９図は、着信制御プログラムの実行フローである。着信制御プログラムは端末装置２のＲＯＭ３４に記憶されているオンラインプログラムである。
端末装置に着信がある時、この着信制御プログラムが起動される。まず、着信の電話番号が端末装置のキーデータ６に登録されているかを判断する（Ｓ９０２）。判断の結果、キーデータ６に登録されていなければ、端末装置の画面に名称の表示を行わず、通常の着信として制御する（Ｓ９０３）。一方、キーデータ６に電話番号が登録されていれば、当該電話番号よりキーデータを確保し（Ｓ９０４）、当該電話番号が登録されているモードを抽出する（Ｓ９０５）。そして、確保したキーデータ６のキー別モード識別値をステップＳ９０５で抽出したモード値に更新する（Ｓ９０６）。即ち、着信した当該電話番号について変更されたモード値がキーデータ６に格納される。そして、キー別モード識別値の有効期限であるタイマー値を予め設定した任意時間付与し（Ｓ９０７）、登録されている該当オートダイヤルキーのランプを点滅させ、当該電話番号の着信として制御する（Ｓ９０８）。
【００２８】
第１０図は、発信制御プログラムの実行フローを示す。発信制御プログラムは端末装置２のＲＯＭ３４に記憶されているオンラインプログラムである。
発信制御プログラムは、発信制御プログラム起動要求（Ｓ７０５）により起動される。まず、ページＮｏ．とキーＮｏ．よりキーデータ６を確保し（Ｓ１０２）、キー別モード識別値６８に値があるかを判断し（Ｓ１０３）、更にキー別モード識別値の有効期限を示すタイマー値６９があるかを判断する（Ｓ１０４）。これらの判断の結果、キー別モード識別値とタイマー値があれば、キー別モード識別値６−８のデータが抽出される（Ｓ１０５）。一方、キー別モード識別値が無い或いはタイマー値が０であれば、全体モード識別値６７のデータが抽出される（Ｓ１０６）。つまり、所定の時間内に着信があった場合には、着信があったモードデータを抽出する。一方、所定時間内に着信が無い或いは着信してから所定の時間を超えた場合には、モード選択釦で運用中のモードデータが抽出される。そして、抽出されたデータを使用して発信すべきモードを判断し、各モードＡ，Ｙ，Ｚに対応したダイヤル番号を抽出（Ｓ１０８〜Ｓ１１０）、及び抽出したダイヤル番号への発信制御を行う（Ｓ１１１）。
【００２９】
以上のように、本実施例によれば、基本的には端末装置の利用者が押下するモード選択釦によるモードにおけるダイヤル番号の発信となる。一方、相手から着信があると、相手先のオートダイヤルキーのモードを、着信があったモードに自動的に切り替えて、その後相手先のモードに応じたダイヤル番号で発信することができる。
【符号の説明】
【００３０】
１１：電話交換装置        １１０：通話路スイッチ  
１１１：中央制御装置      １１２：記憶装置
１１３：制御系バス        １１４：専用内線回路    
１１５：トランク          １１６：Ｉインタフェース内線回路
１４：接続ケーブル        １５：データ管理装置        １６：ターミナルアダプタ  
２：端末装置              ２１：通話用ハンドセット
２２：ダイヤルキー群      ２４：画面ディスプレイ      ３１：呼制御プロセッサ
３２：制御バス            ３３：一時記憶装置（ＲＡＭ）
３４：固定記憶装置（ＲＯＭ）      ３７：キースキャンインタフェース
３８：受信バッファ                ３９：送信バッファ
３１１：呼制御メッセージ送受信バッファ
３１４：画面コントローラ          ３１５：画面メモリ。
【図１】
2012015625.tif 000003
【図２】
2012015625.tif 000004
【図３】
2012015625.tif 000005
【図４】
2012015625.tif 000006
【図５】
2012015625.tif 000007
【図６】
2012015625.tif 000008
【図７】
2012015625.tif 000009
【図８】
2012015625.tif 000010
【図９】
2012015625.tif 000011
【図１０】
2012015625.tif 000012